(57)【要約】【課題】マットレスの利用者への身体的な圧迫感の低減を図る。【解決手段】本開示に係るマットレスカバー１０は、マットレス５０の外装となる。マットレスカバー１０は、生地によって扁平な袋状に形成された複数のマットレス本体収容部１１を上下に重ねて備えている。また、上下で隣り合うマットレス本体収容部１１，１１は、外縁部同士が接合されている。そして、その接合部分に囲まれて互いに重ね合わされる部分同士が非接合状態となって接している。【選択図】図４
2019205794.tif 000002
【特許請求の範囲】
【請求項１】
マットレスの外装となるマットレスカバーであって、
生地によって扁平な袋状に形成された複数のマットレス本体収容部を上下に重ねて備え、
上下で隣り合う前記マットレス本体収容部は、外縁部同士が接合され、その接合部分に囲まれて互いに重ね合わされる部分同士が非接合状態となって接している、マットレスカバー。
【請求項２】
前記生地は、伸縮性を有する、請求項１に記載のマットレスカバー。
【請求項３】
前記マットレス本体収容部は、直方体状に形成され、上面を構成する上面生地片と、下面を構成する下面生地片と、側面を構成する側面生地片と、が縫い合わされてなり、
前記上面生地片及び前記下面生地片は、前記マットレス本体収容部の長手方向よりも短手方向に伸縮性を有し、
前記側面生地片は、前記マットレス本体収容部の外周に沿った方向よりも厚み方向に伸縮性を有する、請求項２に記載のマットレスカバー。
【請求項４】
前記生地は、メッシュ生地である、請求項１乃至３のうち何れか１項に記載のマットレスカバー。
【請求項５】
前記マットレス本体収容部は、直方体状に形成され、上面を構成する上面生地片と、下面を構成する下面生地片と、側面を構成する側面生地片と、が縫い合わされてなり、
上下で隣り合う前記マットレス本体収容部では、上側の前記マットレス本体収容部の前記下面生地片と、上側の前記マットレス本体の前記側面生地片と、下側の前記マットレス本体収容部の前記上面生地片と、下側の前記マットレス本体収容部の前記側面生地片と、が一纏めに縫い合わされている、請求項１乃至４のうち何れか１項に記載のマットレスカバー。
【発明の詳細な説明】
【技術分野】
【０００１】
本開示は、マットレスの外装となるマットレスカバーに関する。
【背景技術】
【０００２】
特許文献１には、１つの袋体に複数のマットレス本体が上下に重ねて収容されたマットレスが示されている。
【先行技術文献】
【特許文献】
【０００３】
【特許文献１】特開平１１−１３７６１３号（［０００５］、図１，２）
【発明の概要】
【発明が解決しようとする課題】
【０００４】
特許文献１のマットレスでは、リクライニングベッド等に使用されると、背上げ動作や膝上げ動作の際に、マットレスの上面を長手方向に縮める圧縮力が上側のマットレス本体に働く。そして、この圧縮力の影響で利用者の腹部が圧迫されることがあり、利用者の圧迫感の低減が求められていた。
【課題を解決するための手段】
【０００５】
上記課題を解決するためになされた請求項１の発明は、マットレスの外装となるマットレスカバーであって、生地によって扁平な袋状に形成された複数のマットレス本体収容部を上下に重ねて備え、上下で隣り合うマットレス本体収容部は、外縁部同士が接合され、その接合部分に囲まれて互いに重ね合わされる部分同士が非接合状態となって接している、マットレスカバーである。
【０００６】
請求項２の発明は、前記生地は、伸縮性を有する、請求項１に記載のマットレスカバーである。
【０００７】
請求項３の発明は、前記マットレス本体収容部は、直方体状に形成され、上面を構成する上面生地片と、下面を構成する下面生地片と、側面を構成する側面生地片と、が縫い合わされてなり、前記上面生地片及び前記下面生地片は、前記マットレス本体収容部の長手方向よりも短手方向に伸縮性を有し、前記側面生地片は、前記マットレス本体収容部の外周に沿った方向よりも厚み方向に伸縮性を有する、請求項２に記載のマットレスカバーである。
【０００８】
請求項４の発明は、前記生地は、メッシュ生地である、請求項１乃至３のうち何れか１項に記載のマットレスカバーである。
【０００９】
請求項５の発明は、前記マットレス本体収容部は、直方体状に形成され、上面を構成する上面生地片と、下面を構成する下面生地片と、側面を構成する側面生地片と、が縫い合わされてなり、上下で隣り合う前記マットレス本体収容部では、上側の前記マットレス本体収容部の前記下面生地片と、上側の前記マットレス本体の前記側面生地片と、下側の前記マットレス本体収容部の前記上面生地片と、下側の前記マットレス本体収容部の前記側面生地片と、が一纏めに縫い合わされている、請求項１乃至４のうち何れか１項に記載のマットレスカバーである。
【発明の効果】
【００１０】
請求項１の発明では、上側のマットレス本体収容部の下面と下側のマットレス本体収容部の上面とが互いに非接合状態で接しているので、背上げ動作や膝上げ動作の際に、上側のマットレス本体収容部が下側のマットレス本体収容部に対して摺動することで、上側のマットレス本体収容部に収容されたマットレス本体が下側のマットレス本体収容部に収容されたマットレス本体に対してスライド可能となる。その結果、上側のマットレス本体に働く圧縮力が解放され、利用者の腹部の圧迫が抑えられる。これにより、利用者の圧迫感の低減が図られる。
【００１１】
ここで、生地は、滑り性を有することが好ましい。生地が滑り性を有することで、背上げ動作や膝上げ動作の際に、上側のマットレス本体収容部が下側のマットレス本体収容部に対して摺動し易くなっている。また、生地は、伸縮性を有することが好ましい（請求項２の発明）。生地が伸縮性を有することで、マットレス本体収容部にマットレス本体が隙間なく詰め込まれた場合でも、上側のマットレス本体収容部に収容されたマットレス本体が下側のマットレス本体収容部に収容されたマットレス本体に対してスライドすることが許容される。マットレス本体収容部は、直方体状に形成され、上面を構成する上面生地片及び下面を構成する下面生地片は、マットレス本体収容部の長手方向よりも短手方向に伸縮性を有し、側面を構成する側面生地片は、マットレス本体収容部の外周に沿った方向よりも厚み方向に伸縮性を有することが好ましい（請求項３の発明）。この構成によれば、マットレスカバーは、上下の面においては、利用者の寝返り等に追従することが可能となり、側面においては、背上げ動作や膝上げ動作に追従することが可能となる。
【００１２】
また、生地は、通気性の観点から、メッシュ生地であることが好ましい（請求項４の発明）。また、メッシュ孔の形状、大きさ等によっては、生地の伸縮性の向上が図られる。
【００１３】
請求項５の発明によれば、上側のマットレス本体収容部の下面と側面を構成する２枚の生地片の縫合部分と、下側のマットレス本体収容部の上面と側面を構成する２枚の生地片の縫合部分と、を纏めることができ、縫い合わせの手間を低減することが可能となる。
【図面の簡単な説明】
【００１４】
【図１】本開示の実施形態に係るマットレスの斜視図
【図２】図１におけるＡ−Ａ切断面におけるマットレスの断面図
【図３】マットレス本体収容部の分解斜視図
【図４】マットレスカバーの断面図
【図５】マットレスカバーの生地を説明するための図
【図６】マットレスが背上げされた状態の断面図
【発明を実施するための形態】
【００１５】
図１及び図２に示されるように、本開示の一実施形態に係るマットレス５０は、マットレス本体４０と、マットレス本体４０を収容してマットレス５０の外装となるマットレスカバー１０と、からなる。
【００１６】
マットレス本体４０は、平面視長方形状をなす扁平形状に形成されている。本実施形態では、マットレス本体４０は、軟質発泡ウレタンによって構成されている。
【００１７】
マットレスカバー１０は、複数のマットレス本体収容部１１を上下に積み重ねてなる。マットレス本体収容部１１は、扁平な袋状に形成され、マットレス本体４０を収容する。本実施形態では、マットレス本体収容部１１は、直方体状に形成され、マットレス本体収容部１１の平面形状は、マットレス本体４０の平面形状と略同じ大きさの長方形状になっている。なお、１つのマットレス本体収容部１１に収容されるマットレス本体４０は、１つであっても複数であってもよい。また、異なる２つのマットレス本体収容部１１の間で、マットレス本体収容部１１に収容されるマットレス本体４０の数は、同じであってもよいし、異なっていてもよい。
【００１８】
マットレス本体収容部１１は、生地によって形成され、マットレス本体４０よりも滑り性を有している。具体的には、マットレス本体収容部１１を形成する生地は、ポリエステル、ナイロン等の化学繊維やコットンやそれらの混合物によって構成されている。また、２つのマットレス本体収容部１１は、それらのマットレス本体収容部１１を形成している生地同士で接している。具体的には、上側のマットレス本体収容部１１の下面生地片２２と下側のマットレス本体収容部１１の上面生地片２１が、非接合状態となって接している。
【００１９】
各マットレス本体収容部１１の外周面には、その周方向に沿って延在するファスナ１２が備えられていて、ファスナ１２が開いたときに形成される開口部がマットレス４０の出し入れ口となっている。なお、マットレス本体収容部１１に収容されるマットレス４０は１つであっても複数であってもよい。
【００２０】
マットレス本体収容部１１は、複数の生地片を縫い合わせて形成されている。図３に示されるように、複数の生地片は、該収容部１１の上面を構成する上面生地片２１と、該収容部１１の下面を構成する下面生地片２２と、該収容部１１の外周面のうち長辺方向で対向する１対の第１側面生地片２３，２３と、該収容部１１の外周面のうち短辺方向で対向する１対の第２側面生地片２４，２４と、からなる。上面生地片２１と第１側面生地片２３は、端縁同士が重ね合わされ、その重ね合わされた部分を縫い代として縫い合わされている（図４参照）。他の生地片同士も、同様にして、縫い合わされている。生地片同士の縫い代は、マットレスカバー１０の内側に折り返されている。
【００２１】
なお、本実施形態では、上述したファスナ１２は、第１側面生地片２３と第２側面生地片２４とに跨って備えられてＬ字状をなしている。具体的には、第１側面生地片２３は、ファスナ１２に該ファスナ１２を上下に挟む第１上側生地片２３Ａと第１下側生地片２３Ｂが縫い合わされたファスナ付き生地片になっていて、第２側面生地片２４は、ファスナ１２に該ファスナ１２を上下に挟む第２上側生地片２４Ａと第２下側生地片２４Ｂが縫い合わされたファスナ付き生地片になっている。
【００２２】
図４に示されるように、本実施形態のマットレスカバー１０では、上下で隣り合うマットレス本体収容部１１，１１の外縁部同士が縫い合わされて接合されている。具体的には、上側のマットレス本体収容部１１の下面生地片２２と下側のマットレス本体収容部１１の上面生地片２１の外縁部同士が縫い合わされている。そして、それら２つのマットレス本体収容部１１，１１において接合部分より内側で互いに重ね合わされる部分、即ち、上側のマットレス本体収容部１１の下面生地片２２と下側のマットレス本体収容部１１の上面生地片２１において縫い目より内側に配置される部分が非接合状態となって接している。
【００２３】
詳細には、下側のマットレス本体収容部１１の上面生地片２１と上側のマットレス本体収容部１１の下面生地片２２との縫合部分では、下側のマットレス本体収容部１１の上面と側面を構成する２枚の生地片と上側のマットレス本体収容部１１の下面と側面を構成する２枚の生地片を合わせた合計４枚の生地片が一纏めに縫い合わされている。この構成によれば、上側のマットレス本体収容部１１の下面と側面を構成する２枚の生地片の縫合部分と、下側のマットレス本体収容部１１の上面と側面を構成する２枚の生地片の縫合部分と、を纏めることができ、縫い合わせの手間を低減することが可能となる。なお、４枚の生地片の縫い代は、上側のマットレス本体収容部１１と下側のマットレス本体収容部１１のうち何れか一方のマットレス本体収容部１１の内側に折り返されている。
【００２４】
ところで、本実施形態では、マットレス本体収容部１１を構成する複数の生地片２１，２２，２３，２４は、経編によって形成されている。図５（Ａ）に示されるように、上面生地片２１と下面生地片２２は、経糸がマットレス本体収容部１１の長手方向に沿って延びるように配置されている。。また、第１側面生地片２３と第２側面生地片２４は、経糸がマットレス本体収容部１１の外周に沿って延びるように配置されている。ここで、一般に、経編の生地では、経糸の延在方向よりも経糸に垂直な方向の方が伸び易くなっている。従って、上面生地片２１及び下面生地片２２は、マットレス本体収容部１１の長手方向よりも短手方向に伸縮性を有し、第１側面生地片２３及び第２側面生地片２４は、マットレス本体収容部１１の外周に沿った方向よりも厚み方向に伸縮性を有する。
【００２５】
また、本実施形態では、マットレスカバー１０の通気性の向上を図るために、マットレス本体収容部１１を構成する複数の生地片２１，２２，２３，２４がメッシュ生地となっていて、各生地片には、複数のメッシュ孔２７が形成されている。メッシュ孔２７は、経糸の延在方向に長い楕円形状又は水滴形状に形成されている。これにより、各生地片２１，２２，２３，２４において、経糸に垂直な方向の伸縮性の向上が図られる。なお、メッシュ孔２７の大きさは、長手方向で２〜３［ｍｍ］、短手方向で１〜２［ｍｍ］である。また、メッシュ孔２７は、円形に形成されてもよい。
【００２６】
図６に示されるように、マットレス５０は、リクライニングベッド７０に用いられる。リクライニングベッド７０は、メインフレーム７１の上に複数の床板７２を備え、マットレス５０は、複数の床板７２の上に敷設される。複数の床板７２は、例えば、背床板７２Ａ、腰床板７２Ｂ、固定床板７２Ｃ、膝床板７２Ｄ及び脚床板７２Ｅで構成され、固定床板７２Ｃに対して背床板７２Ａが回動することで背上げが行われ、固定床板７２Ｃに対して膝床板７２Ｄが回動することで膝上げが行われる。なお、背上げの際、腰床板７２Ｂは、背床板７２Ａに連動し、膝上げの際、脚床板７２Ｅは、膝床板７２Ｄに連動する。
【００２７】
ここで、背上げ又は膝上げが行われて、マットレス５０の下面が折れ曲がっていくと、マットレス５０の上面を縮める圧縮力が上側のマットレス本体４０に働く。すると、その力によって、マットレス５０に横たわる利用者の上半身又は下半身が腹部へと引き込まれ、利用者の腹部が圧迫される、という問題が生じ得る。しかしながら、本実施形態のマットレスカバー１０では、複数のマットレス本体収容部１１が上下に重ねられていて、それぞれのマットレス本体収容部１１にマットレス本体４０が収容される。そして、上側のマットレス本体収容部１１の下面生地片２２と下側のマットレス本体収容部１１の上面生地片２１は、外縁部のみが縫い合わされていて、縫い目より内側に配置される部分は非接合状態となって接している。従って、上側のマットレス本体収容部１１が下側のマットレス本体収容部１１に対して摺動することで、上側のマットレス本体収容部１１に収容されたマットレス本体４０が下側のマットレス本体収容部１１に収容されたマットレス本体４０に対して長手方向にスライドする。その結果、上側のマットレス本体４０に働く圧縮力が解放される。
【００２８】
このように、本実施形態のマットレスカバー１０では、上側のマットレス本体収容部１１の下面と下側のマットレス本体収容部１１の上面とが互いに非接合状態で接しているので、背上げ動作や膝上げ動作の際に、上側のマットレス収容部１１に収容されたマットレス本体４０に働く圧縮力が解放され、利用者の腹部の圧迫が抑制される。また、マットレスカバー１０を構成する生地は、マットレス本体４０よりも滑り性を有しているので、背上げ動作や膝上げ動作の際に、上側のマットレス本体収容部１１が下側のマットレス本体収容部１１に対して摺動し易くなっている。
【００２９】
また、マットレスカバー１０を構成する生地は、伸縮性を有しているので、マットレス本体収容部１１にマットレス本体４０が隙間なく詰め込まれた場合でも、上側のマットレス本体収容部１１に収容されたマットレス本体４０が下側のマットレス本体収容部１１に収容されたマットレス本体４０に対してスライドすることが許容される。特に、本実施形態のマットレスカバー１０では、マットレス本体収容部１１の上面生地片２１と下面生地片２２がマットレス本体収容部１１の長手方向よりも短手方向に伸縮性を有し、第１側面生地片２３と第２側面生地片２４がマットレス本体収容部１１の外周に沿った方向よりも厚み方向に伸縮性を有するので、上下の面においては、マットレス５０の利用者の寝返り等に追従することが可能となり、側面においては、背上げ動作や膝上げ動作に追従することが可能となる。
【００３０】
［他の実施形態］
（１）マットレスカバー１０は、マットレス本体収容部１１を３つ以上備えてもよい。この場合、少なくとも上下で隣り合う２つのマットレス本体収容部１１，１１において、その外縁部同士が接合され、その接合部分に囲まれて互いに重ね合わされる部分同士が非接合状態となって接していればよい。
【００３１】
（２）マットレスカバー１０のファスナ１２は、マットレスカバー１０の一側面にのみ備えられてもよい。この場合、ファスナ１２は、マットレス５０の長手方向に延在する第１側面生地片２３に備えられることが好ましい。
【００３２】
（３）上記実施形態では、上側のマットレス本体収容部１１と下側のマットレス本体収容部１１の外縁部同士は、縫合によって接合されていたが、熱溶着によって接合されてもよいし、面ファスナ、ボタン、ホック、紐等で接合されてもよい。
【００３３】
（４）上記実施形態では、マットレス本体収容部１１の複数の生地片２１，２２，２３，２４が同じ種類の生地から構成されていたが、異なる種類の生地で構成されてもよい。具体的には、マットレス本体収容部１１の上面生地片２１及び下面生地片２２を滑り性に優れた生地で構成し、マットレス本体収容部１１の第１側面生地片２３及び第２側面生地片２３を伸縮性に優れた生地で構成してもよい。
【符号の説明】
【００３４】
１０    マットレスカバー
１１    マットレス本体収容部
２１    上面生地片
２２    下面生地片
２３    第１側面生地片
２４    第２側面生地片
２７    メッシュ孔
４０    マットレス本体
５０    マットレス
７０    リクライニングベッド
【図１】
2019205794.tif 000003
【図２】
2019205794.tif 000004
【図３】
2019205794.tif 000005
【図４】
2019205794.tif 000006
【図５】
2019205794.tif 000007
【図６】
2019205794.tif 000008